(57)【要約】【課題】メンテナンス性を損なうことなくシート状の媒体を円滑に安定して送り出すことが可能な搬送ガイド機構及びそれを備えた記録装置を提供する。【解決手段】プリンター本体２に対して開閉可能な紙送り機構３の排出口４と紙送り機構３から送り出される記録紙Ｐが通される券搬送通路１２との間に設けられ、排出口４から送り出される記録紙Ｐを券搬送通路１２へ案内する搬送ガイド機構６１であって、記録紙Ｐが通過可能なガイド通路６４を構成する下ガイド板部６３を備え、下ガイド板部６３は、プリンター本体２に対して開閉される紙送り機構３によって押圧されて紙送り機構３の移動軌跡から外れた位置に変位可能に支持されている。【選択図】図２
2011031593.tif 000002
【特許請求の範囲】
【請求項１】
本体に開閉可能に支持された開閉部材が閉じられたときに前記本体との間に形成される排出口から排出される媒体を所定方向に案内するための搬送ガイド機構であって、
前記本体に移動可能に支持され、開閉される前記開閉部材により押圧されて前記開閉部材の移動軌跡から外れた位置に移動可能なガイド部材を有していることを特徴とする搬送ガイド機構。
【請求項２】
請求項１に記載の搬送ガイド機構であって、
前記ガイド部材は、前記本体に回動可能に支持されていることを特徴とする搬送ガイド機構。
【請求項３】
請求項１または２に記載の搬送ガイド機構であって、
前記ガイド部材は、付勢部材により所定位置に付勢されていることを特徴とする搬送ガイド機構。
【請求項４】
請求項１乃至３のいずれか一項に記載の搬送ガイド機構であって、
前記本体には、前記ガイド部材と共に前記媒体を案内する上ガイド部を備えていることを特徴とする搬送ガイド機構。
【請求項５】
請求項１から４のいずれか一項に記載の搬送ガイド機構を備え、前記媒体に対して印刷処理を行う印刷処理部を有することを特徴とする記録装置。
【発明の詳細な説明】
【技術分野】
【０００１】
本発明は、搬送される媒体をガイドする搬送ガイド機構及びそれを備えた記録装置に関する。
【背景技術】
【０００２】
一般に、ＰＯＳ（Point Of Sale）システムなどで使われる電子キャッシュレジスターに適用されるプリンターは、ロール状の記録紙に対して感熱方式等の印字ヘッドにより印字を行った後、レシートとして発行するものがある（例えば、特許文献１参照）。
【先行技術文献】
【特許文献】
【０００３】
【特許文献１】特開２０００−１６７７９９号公報
【発明の概要】
【発明が解決しようとする課題】
【０００４】
上記のようなプリンターは、レジスター等の発券機器に内蔵されるため、プリンターにて印刷されて送り出される記録紙は、発券機器のケースに設けられた券発行口へ導かれ、この券発行口から排紙される。
この種のプリンターでは、記録紙を送り出す紙送り機構での紙詰まりの解消や清掃などのメンテナンスのため、紙送り機構を回動等させてプリンター本体に対して開閉可能とする必要がある。
ところで、紙送り機構を開閉可能とするためには、紙送り機構の開閉に必要なスペースの確保のために、発券機器の券発行口とプリンターの排出口との間に隙間をあけなければならないが、紙送り機構から送り出される記録紙が隙間にて搬送経路から外れてしまい、発券機器のケースの券発行口へ送り込めなくなることがある。
【０００５】
本発明は、上記事情に鑑みてなされたもので、メンテナンス性を損なうことなくシート状の媒体を円滑に安定して送り出すことが可能な搬送ガイド機構及びそれを備えた記録装置を提供することにある。
【課題を解決するための手段】
【０００６】
上記目的を達成するために、本発明の搬送ガイド機構は、本体に開閉可能に支持された開閉部材が閉じられたときに前記本体との間に形成される排出口から排出される媒体を所定方向に案内するための搬送ガイド機構であって、
前記本体に移動可能に支持され、開閉される前記開閉部材により押圧されて前記開閉部材の移動軌跡から外れた位置に移動可能なガイド部材を有していることを特徴とする。
【０００７】
この構成の搬送ガイド機構によれば、ガイド部材により排出口から送り出される媒体を所定方向に案内できるので、搬送機構を供えた装置等を収容するケースの媒体搬送部へ導くことができる。ケースの種類によってケースの媒体搬送路の位置が異なったとしても搬送ガイド機構のみを変更するだけで対応できる。
また、ガイド部材が、装置本体に対して開閉される送り機構によって押圧されて送り機構の移動軌跡から外れた位置に変位可能に支持されているので、ガイド部材を排出口側に近づけて設定できるので、排出口から排出された媒体がガイド部材が形成する搬送路から外れることがないし、開閉部材を本体に対して開放して媒体の詰まりの解消や清掃などのメンテナンスを容易に行う機能も維持することができる。
【０００８】
また、前記ガイド部材は、前記本体に回動可能に支持されていることが好ましい。このように、ガイド部材が、装置本体に対して開かれる送り機構によって押圧されて移動されるので、送り機構を開く際に、ガイド部材が邪魔とならず、よって、送り機構のメンテナンス性を高めることができる。また、ガイド部材は、搬送通路側へ向かって移動されるので、ガイド部材が移動されることで搬送通路からガイド部材の位置が外れるような不具合なく、ガイド部材を移動させることができる。
【０００９】
また、前記ガイド部材は、前記装置本体に対して閉じられる前記送り機構によって押圧されて前記搬送通路側の支点を中心として回動されることが好ましい。このように、ガイド部材が、装置本体に対して閉じられる送り機構によって押圧されて回動されるので、送り機構を閉じる際に、ガイド部材が邪魔とならず、よって、送り機構のメンテナンス性を高めることができる。また、ガイド部材は、搬送通路側の支点を中心として回動されるので、ガイド部材が回動されることで搬送通路からガイド部材の位置が外れるような不具合なく、ガイド部材を移動させることができる。
また、本発明の前記ガイド部材は、前記本体に回動可能に支持されていることが、簡略な構成なことより望ましい。
また、前記ガイド部材は、付勢部材により所定位置に付勢されていることは、その位置が安定しているので望ましい。
【００１０】
また、本発明の記録装置は、上記の何れかの搬送ガイド機構を備え、前記媒体に対して印刷処理を行う印刷処理部を有することを特徴とする。
この記録装置によれば、印刷処理を施したシート状の媒体を搬送ガイド機構によって円滑に安定して送り出すことができ、また、送り機構のメンテナンスを容易に行うことができる。
【図面の簡単な説明】
【００１１】
【図１】本発明の実施形態に係る記録装置の斜視図である。
【図２】搬送ガイド機構部分の構造を示す記録装置の断面図である。
【図３】搬送ガイド機構部分の拡大断面図である。
【図４】搬送ガイド機構の動きを説明する拡大断面図である。
【図５】搬送ガイド機構の動きを説明する拡大断面図である。
【図６】本発明の他の実施形態における搬送ガイド機構部分の横断面説明図である。
【発明を実施するための形態】
【００１２】
以下、本発明に係る搬送ガイド機構及びそれを備えた記録装置の実施形態について図面を参照して説明する。
図１は本発明の実施形態に係る記録装置の斜視図、図２は搬送ガイド機構部分の構造を示す記録装置の断面図、図３は搬送ガイド機構部分の拡大断面図、図４及び図５は搬送ガイド機構の動きを説明する拡大断面図である。
図１及び図２に示すように、本実施形態に係る記録装置であるプリンター１は、プリンター本体（装置本体）２と、このプリンター本体２の前方側における下方に設けられた紙送り機構（送り機構）３とを備えている。
【００１３】
このプリンター１は、例えば、レシートなどを発行する発券機器に内蔵されるもので、印刷した記録紙（媒体）Ｐは、紙送り機構３の排出口４から送り出され、発券機器のケース１１に設けられた券搬送通路（搬送通路）１２へ導かれ、この券搬送通路１２の一端側の券発行口１３から排紙される。券搬送通路１２は、上板１２ａと下板１２ｂとを有しており、これら上板１２ａ及び下板１２ｂは、記録紙Ｐの排出方向Ａに向かって下方へ向かって傾斜され、また、互いの間隔が次第に狭められている。そして、この券搬送通路１２は、プリンター１側が券導入口１４とされており、紙送り機構３の排出口４から送り出される記録紙Ｐが券導入口１４側から送り込まれる。
【００１４】
プリンター本体２は、ステッピングモーター２１を備えている。このステッピングモーター２１は、モーターギヤ２２を回転駆動するもので、このモーターギヤ２２には、伝達ギヤ２３が歯合されている。伝達ギヤ２３には、外ギヤ２４が歯合されており、モーターギヤ２２の回転力が伝達ギヤ２３を介して外ギヤ２４に伝達されるようになっている。外ギヤ２４には、同一回転軸に内ギヤ２５が設けられており、この内ギヤ２５は、外ギヤ２４が回転されることにより、この外ギヤ２４とともに回転される。
【００１５】
紙送り機構３は、プリンター本体２に対して、その下方側の回転軸３１を中心としてプリンター１の前方側へ回動可能に連結されている。この紙送り機構３には、プリンター本体２側の内ギヤ２５と歯合されるプラテンギヤ３２が設けられている。このプラテンギヤ３２と同一回転軸には、プラテンローラー３３が設けられており、プラテンローラー３３は、プラテンギヤ３２が回転されることにより、このプラテンギヤ３２とともに回転される。
プリンター本体２には、紙送り機構３のプラテンローラー３３の上方位置に、記録紙Ｐに記録を行うサーマルヘッド（印刷処理部）３５が設けられており、図示しないバネによってプラテンローラー３３に押圧付勢されている。
【００１６】
そして、プリンター１の下側に配置されるロール紙からなる記録紙Ｐは、紙送り機構３の下方側からプラテンローラー３３に巻回され、このプラテンローラー３３とサーマルヘッド３５との間を通過する際に、サーマルヘッド３５によって印刷が施され、紙送り機構３の排出口４から送り出される。
また、プリンター１には、プリンター本体２側及び紙送り機構３側に設けられた切断刃５１，５２からなるカッター機構５３が設けられており、このカッター機構５３は、前方側へ送り出される記録紙Ｐを所定のタイミングにて切断する。
【００１７】
紙送り機構３には、上下方向に移動可能に支持された係止板４１を有しており、引っ張りバネ４２によって上方へ付勢されている。この係止板４１には、係止爪４３が形成されており、係止板４１が引っ張りバネ４２によって上方へ付勢された状態にて、係止爪４３がプリンター本体２側に形成された係止部４４に係止し、紙送り機構３の回動が規制されている。また、紙送り機構３には、係止解除レバー４５が設けられており、係止板４１は、係止解除レバー４５を押下することにより、引っ張りバネ４２の付勢力に抗して引き下げられ、係止爪４３による係止部４４への係止状態が解除される。これにより、紙送り機構３は、回転軸３１を中心としてプリンター１の前方側へ回動可能とされる。
そして、この紙送り機構３を前方側へ回動させることにより、プラテンローラー３３とサーマルヘッド３５との間が開放され、紙詰まりの解消や清掃などのメンテナンスが可能となる。
【００１８】
また、プリンター１には、紙送り機構３の排出口４と券搬送通路１２との間に、プリンター本体２から券搬送通路１２側へ突出する搬送ガイド機構６１が設けられている。図３に示すように、搬送ガイド機構６１は、上ガイド板部６２と、下ガイド板部（ガイド部材）６３とを備えており、これら上ガイド板部６２と下ガイド板部６３との間が、記録紙Ｐが通されて案内されるガイド通路６４とされている。このガイド通路６４は、その先端が、券搬送通路１２における券導入口１４に入り込んでいる。
上ガイド板部６２及び下ガイド板部６３には、互いに平行な平板部６５，６６を有しており、上ガイド板部６２には、平板部６５から券搬送通路１２側へ突出し、この券搬送通路１２に沿って傾斜する傾斜板部６７が延在されている。
【００１９】
上ガイド板部６２の両側部には、下ガイド板部６３側へ屈曲された支持板部７１が形成されており、下ガイド板部６３の両側部には、上ガイド板部６２側へ屈曲された連結板部７２が支持板部７１の外面に沿うように形成されている。
上ガイド板部６２の支持板部７１には、側方へ突出する案内板部７３が形成されており、下ガイド板部６３の連結板部７２には、案内板部７３が挿通される案内溝７４が形成されている。
【００２０】
案内溝７４は、上部側が、プリンター１の前後方向に沿う案内辺部７４ａとされている。また、案内溝７４の下部側には、窪み７４ｂが形成されている。
また、案内板部７３と連結板部７２における券搬送通路１２側の上部との間には、引っ張りバネ７５が連結されており、この引っ張りバネ７５によって、下ガイド板部６３が、プリンター１側へ向かって斜め下方へ付勢されている。これにより、案内板部７３の券搬送通路１２側の端部７３ａが案内溝７４における券搬送通路１２側の端部７４ｃに当接され、また、案内板部７３が案内溝７４の案内辺部７４ａに当接された状態とされる。
【００２１】
また、下ガイド板部６３のプリンター１側には、当接板部８１が形成されている。この当接板部８１は、回転軸３１を中心として紙送り機構３を回動させた際に紙送り機構３のフレーム（開閉部材）３ａが通る回動軌跡（移動軌跡）上に配置されている。
【００２２】
そして、上記搬送ガイド機構６１を備えたプリンター１では、サーマルヘッド３５によって印刷が施されて排出口４からプリンター１の前方側へ送り出される記録紙Ｐは、排出口４と券搬送通路１２との間にて、プリンター本体２から券搬送通路１２側へ突出して券搬送通路１２における券導入口１４に入り込んでいる搬送ガイド機構６１のガイド通路６４を通される。これにより、記録紙Ｐは、排出口４と券搬送通路１２との間にて搬送経路から外れることなく、券搬送通路１２へ送り込まれ、券発行口１３から送り出される。
【００２３】
次に、上記の搬送ガイド機構６１を備えたプリンター１において、紙詰まりの解消や清掃などのメンテナンスのために紙送り機構３を開閉する場合について説明する。
【００２４】
（紙送り機構の開放時）
紙送り機構３を開放させるべく、回転軸３１を中心として紙送り機構３をプリンター１の前方側へ回動させると、紙送り機構３のフレーム３ａが搬送ガイド機構６１を構成する下ガイド板部６３の当接板部８１の端部に当接する。
さらに、紙送り機構３を回動させると、図４に示すように、この紙送り機構３のフレーム３ａによって下ガイド板部６３が、引っ張りバネ７５の付勢力に抗して券搬送通路１２側へ向かって押し出される。
【００２５】
そして、紙送り機構３のフレーム３ａが下ガイド板部６３の当接板部８１の位置よりも回動方向前方側に移動すると、当接板部８１へのフレーム３ａの当接が解除される。
これにより、下ガイド板部６３が引っ張りバネ７５の付勢力によってプリンター１側へ引き込まれ、案内板部７３の券搬送通路１２側の端部７３ａが案内溝７４における券搬送通路１２側の端部７４ｃに当接し、かつ案内板部７３が案内辺部７４ａに当接した定位置に配置される。
【００２６】
（紙送り機構の閉鎖時）
開放させた紙送り機構３を閉鎖すべく、回転軸３１を中心として紙送り機構３をプリンター１の後方側へ回動させると、紙送り機構３のフレーム３ａが搬送ガイド機構６１を構成する下ガイド板部６３の当接板部８１の下面に当接する。
さらに、紙送り機構３を回動させると、図５に示すように、この紙送り機構３のフレーム３ａによって下ガイド板部６３が、券搬送通路１２側を中心として回動し、案内板部７３が窪み７４ｂに入り込む。
【００２７】
そして、紙送り機構３のフレーム３ａが下ガイド板部６３の当接板部８１の位置よりも回動方向前方側に移動すると、当接板部８１へのフレーム３ａの当接が解除される。
これにより、下ガイド板部６３が引っ張りバネ７５の付勢力によって逆方向に回動され、案内板部７３の券搬送通路１２側の端部７３ａが案内溝７４における券搬送通路１２側の端部７４ｃに当接し、かつ案内板部７３が案内辺部７４ａに当接した定位置に配置される。
【００２８】
以上、説明したように、上記実施形態の搬送ガイド機構によれば、紙送り機構３の排出口４から送り出される記録紙Ｐをガイド通路６４に通すことにより、紙送り機構３の排出口４と券搬送通路１２との隙間にて記録紙Ｐを円滑に安定して送り出すことができる。
また、搬送ガイド機構６１を構成する下ガイド板部６３が、プリンター本体２に対して開閉される紙送り機構３によって押圧されて紙送り機構３の移動軌跡から外れた位置に変位可能に支持されているので、紙送り機構３をプリンター本体２に対して開放して記録紙Ｐの詰まりの解消や清掃などのメンテナンスを容易に行うことができる。
つまり、サーマルヘッド３５によって印刷処理を施した記録紙Ｐを搬送ガイド機構６１によって円滑に安定して送り出すことができ、また、紙送り機構３のメンテナンスを容易に行うことができる。
【００２９】
特に、下ガイド板部６３が、プリンター本体２に対して開かれる紙送り機構３によって押圧されて券搬送通路１２側へ向かって移動され、プリンター本体２に対して閉じられる紙送り機構３によって押圧されて券搬送通路１２側の支点を中心として回動されるので、紙送り機構３を開閉させる際に、下ガイド板部６３が邪魔とならず、よって、紙送り機構３のメンテナンス性を高めることができる。
また、下ガイド板部６３は、紙送り機構３の開放時に券搬送通路１２側へ向かって移動され、紙送り機構３の閉鎖時に券搬送通路１２側の支点を中心として回動されるので、下ガイド板部６３が移動及び回動されることで券搬送通路１２から下ガイド板部６３の位置が外れるような不具合なく、下ガイド板部６３を移動及び回動させることができる。
【００３０】
＜他の実施の形態＞
なお、本発明は上述の実施の形態に限られることなく種々の変更を行うことができる。図６はその一例であり、他の実施形態における搬送ガイド機構部分の横断面説明図である。図や説明については、前述の第１の実施形態と同じもしくは同一の機能を有する部品等には同符号を付し説明を省略する。図６の実施形態では、プリンター本体２から券搬送通路１２側へ突出する搬送ガイド機構６１ａは、下ガイド板部（ガイド部材）６３ａが上ガイド板部６２ａに支持軸７６により回動可能に支持されている。
また、下ガイド板部６３ａは、上ガイド板部６２ａとに設けられた引っ張りバネ７７により図６において反時計方向に付勢されており、下ガイド板部６３ａは連結板部７２ａに設けられた掛止部８１ｃが上ガイド板部６２ａに設けられた停止部６２ｂに当接するか若しくは下ガイド板部６３ａに設けられた当接板部８１ａがフレーム３ｂの当接面３ｃに当接することによって、その姿勢が規制される。
上記の構成において、フレーム３ｂが開放されるときと、開放されているフレーム３ｂが閉鎖されるときについて詳述する。
【００３１】
（紙送り機構の開放時）
紙送り機構３の搬送路を開放させるべく、回転軸３１を中心としてフレーム３ｂをプリンター１の前方側へ回動させると、下ガイド板部６３ａの当接板部８１ａが、フレーム３ｂの当接面３ｃによりガイド通路６４側に移動されるので、下ガイド板部６３ａは引っ張りばね７７の付勢力に抗して時計方向に回動される。
そして、フレーム３ｂの当接面３ｃが下ガイド板部６３ａの当接板部８１ａの位置よりも回動方向側に回動すると、当接板部８１ａへのフレーム３ｂの当接が解除される。
これにより、下ガイド板部６３ａが引っ張りバネ７７の付勢力によって反時計方向に回動され、掛止部８１ｃが上ガイド板部６２ａに設けられた停止部６２ｂに当接して姿勢が規制され定位置に配置される。
【００３２】
（紙送り機構の閉鎖時）
開放されている紙送り機構３を閉鎖すべく、フレーム３ｂを回転軸３１を中心としてプリンター１の後方側へ回動させると、フレーム３ｂの上端部３ｄが下ガイド板部６３ｂの下面８１ｂに当接する。
さらに、フレーム３ｂを回動させると、下ガイド板部６３ａは引っ張りばね７７の付勢力に抗して支持軸７６を中心に時計方向に回動され、上端部３ｄが下面８１ｂおよび当接板部８１ａを摺動し終わるまで下ガイド板部６３ａは時計方向に回動される。そして、上端部３ｄが当接板部８１から外れるにしたがい下ガイド板部６３ａは引っ張りばね７７により反時計方向に回動され、当接板部８１が停止部６２ｂに当接した状態でその姿勢が規制され定位置となる。
この実施形態では、下ガイド板部６３ａが単に回動のみでよいことから簡略な機構であり、その動作は安定いているので望ましい。
【００３３】
なお、上記実施形態では、記録紙Ｐに対してサーマルヘッド３５によって熱を付与して印刷を施すサーマルプリンターを例にとって説明したが、本発明は、記録紙Ｐなどの記録媒体にインクを吐出するインクジェットプリンターにも適用可能である。
また、上記実施形態では、ガイド部材である下ガイド板部６３ａは引っ張りバネ７７により付勢されているが、所定位置に付勢する付勢部材としては引っ張りバネに限られるものではなく、捻りコイルバネや圧縮バネ、あるいは弾性変形するゴム等であってもよい。
また、記録紙Ｐが通されて案内されるガイド通路６４を上ガイド板部６２ａと下ガイド板部６３ａの２部品により構成されている例をとって説明したが、１部品で構成されていても構わなく、その場合はガイド通路６４を形成するガイド部材が本体に移動可能に支持されている構成にすればよい。
【符号の説明】
【００３４】
１…プリンター（記録装置）、２…プリンター本体（装置本体）、３…紙送り機構（送り機構）、４…排出口、１２…券搬送通路（搬送通路）、３５…サーマルヘッド（印刷処理部）、６１…搬送ガイド機構、６３…下ガイド板部（ガイド部材）、６４…ガイド通路、Ｐ…記録紙（媒体）。
【図１】
2011031593.tif 000003
【図２】
2011031593.tif 000004
【図３】
2011031593.tif 000005
【図４】
2011031593.tif 000006
【図５】
2011031593.tif 000007
【図６】
2011031593.tif 000008